(57)【特許請求の範囲】
【請求項１】
洗濯物を出し入れする投入口を開閉可能に閉塞する蓋体と、
前記蓋体の左側に設けられたヒンジと、
前記蓋体の右上外周部に設けられ、前記蓋体の外周縁部から延設された指掛け部を備える取手と、を備えるドラム式洗濯乾燥機であって、
前記指掛け部は、前記取手の基部から離れる側となる右側方に向けて傾斜する第１延設部と、この第１延設部に連続して延び前記基部に近付く側となる左側方に向けて傾斜する第２延設部と、この第２延設部の端部で鋭角に折返されて前記基部から離れる側となる右側方に向けて延設される第３延設部とを有し、
前記第３延設部の内側には、指掛け面が形成され、
前記蓋体の前面から見て、前記第２延設部と前記第３延設部との間の折れ曲がり部分の一部と前記蓋体の前面とがオーバーラップしていることを特徴とするドラム式洗濯乾燥機。
【発明の詳細な説明】
【技術分野】
【０００１】
本発明は、ドラム式洗濯乾燥機に関する。
【背景技術】
【０００２】
一般的に、ドラム式洗濯乾燥機は、水平または開口部側が高くなるように傾斜した回転軸を中心に回転して洗濯物を収容し得るドラムと、このドラムが内部に配置された外槽とを備えている。
【０００３】
この種のドラム式洗濯乾燥機は、所定量の水を貯留した外槽内で洗濯物を収容したドラムを回転させることによって、ドラム内の洗濯物を持ち上げ水面に向けて落下させるたたき洗いを繰り返して洗濯を行う。また、このドラム内の洗濯物に温風を吹き付けて乾燥を行う。
【０００４】
ドラムの前面側には、洗濯物を出し入れする投入口が設けられており、投入口には、開閉式の蓋体が設けられている。蓋体は、例えば、洗濯機本体に設けられたロック手段により、運転中は洗濯機本体に閉じられた状態でロックされるようになっており、また、洗濯機本体に設けられた開ボタン等を操作することにより開かれるようになっている。
【０００５】
また、蓋体を開操作するための取手が蓋体の外周部に設けられたものも知られている（例えば、特許文献１参照）。
【先行技術文献】
【特許文献】
【０００６】
【特許文献１】意匠登録第１４１９６５５号公報
【発明の概要】
【発明が解決しようとする課題】
【０００７】
しかしながら、特許文献１に記載された洗濯機の蓋体は、その平面図や右側面図に記載されているように、蓋体の外周縁部から側方に向けて取手の指掛け部が延出する構造であった。このため、操作性を確保するために指掛け部の後側に手を挿入するための凹状スペースを洗濯機本体側（前面カバー）に設ける必要があり、むしろ洗濯機本体のデザイン性が損なわれるおそれがあった。
【０００８】
一方、このような凹状スペースを洗濯機本体側に設けない場合には、手を挿入するためのスペースを確保するために、蓋体が閉じられた状態において、洗濯機本体の前面側に指掛け部を大きく突出させる必要があり、デザイン性が損なわれるとともに、洗濯物の出し入れの際に洗濯物が取手に引っ掛かる等の不具合を生じるおそれがあった。
【０００９】
本発明はこのような事情に鑑みてなされたものであり、蓋体に取手が設けられたドラム式洗濯乾燥機において、前面への取手の出張りを抑えつつ蓋体を開く際の操作性に優れたドラム式洗濯乾燥機を提供することを課題とする。
【課題を解決するための手段】
【００１０】
本発明は、洗濯物を出し入れする投入口を開閉可能に閉塞する蓋体と、前記蓋体の左側に設けられたヒンジと、前記蓋体の右上外周部に設けられ、前記蓋体の外周縁部から延設された指掛け部を備える取手と、を備えるドラム式洗濯乾燥機であって、前記指掛け部は、前記取手の基部から離れる側となる右側方に向けて傾斜する第１延設部と、この第１延設部に連続して延び前記基部に近付く側となる左側方に向けて傾斜する第２延設部と、この第２延設部の端部で鋭角に折返されて前記基部から離れる側となる右側方に向けて延設される第３延設部とを有し、前記第３延設部の内側には、指掛け面が形成され、前記蓋体の前面から見て、前記第２延設部と前記第３延設部との間の折れ曲がり部分の一部と前記蓋体の前面とがオーバーラップしていることを特徴とする。
【発明の効果】
【００１１】
本発明によれば、蓋体に取手が設けられたドラム式洗濯乾燥機において、前面への取手の出張りを抑えつつ蓋体を開く際の操作性に優れたドラム式洗濯乾燥機が得られる。
【図面の簡単な説明】
【００１２】
【図１】本発明の一実施形態に係るドラム式洗濯乾燥機を示す図であり、（ａ）は正面図、（ｂ）は右側面図である。
【図２】内部の構造を模式的に示す左側面図である。
【図３】内部の構造を模式的に示す右側面図である。
【図４】内部の構造を模式的に示す上面図である。
【図５】内部の構造を模式的に示す上部左側の部分正面図である。
【図６】（ａ）は蓋体の正面図、（ｂ）は蓋体の後面図である。
【図７】固定カバーを取り外した状態の蓋体の後面図、（ｂ）はロック機構を示す後面図である。
【図８】（ａ）は取手の後面図、（ｂ）は取手の左側面図、（ｃ）は取手の右側面図、（ｄ）は取手の上面図、（ｅ）は取手の下面図である。
【図９】（ａ）はロック機構の分解斜視図、（ｂ）はシャフトの組み付け時の様子を示す部分拡大斜視図である。
【図１０】（ａ）は固定カバーの右側面図、（ｂ）は固定カバーの後面図、（ｃ）は図１０（ｂ）のＡ−Ａ線拡大断面図である。
【図１１】（ａ）は蓋体の縦断面図、（ｂ）はドアガラスの押え構造を示す部分拡大端面図である。
【図１２】取手周りの構造を示す図であり、（ａ）は蓋体が閉じられた状態の横断面図、（ｂ）は取手を開操作した状態の横断面図である。
【図１３】非開操作時における取手と係止フックとの当接状態を示す図であり、（ａ）は取手および係止フックを示す説明図、（ｂ）は図１３（ａ）のＢ１−Ｂ１線拡大断面図である。
【図１４】開操作時における取手と係止フックとの当接状態を示す図であり、（ａ）は取手および係止フックを示す説明図、（ｂ）は図１４（ａ）のＢ２−Ｂ２線拡大断面図である。
【図１５】（ａ）は閉状態における蓋体の横断面図、（ｂ）は係止フックの係止の様子を示す端面図である。
【発明を実施するための形態】
【００１３】
以下、本発明を実施するための形態（以下「実施形態」という）について、適宜図面を参照しながら詳細に説明する。なお、以下では、洗濯から乾燥までの工程を行うことができるドラム式洗濯乾燥機を例に挙げて説明する。また、以下の説明において方向をいう時は、図１（ａ）に示す方向、つまり、ドラム式洗濯乾燥機を正面から見たときの方向を基準として説明する。
【００１４】
はじめに、本発明の一実施形態に係るドラム式洗濯乾燥機の全体構成について説明する。
図１（ａ）に示すように、ドラム式洗濯乾燥機は、外郭が鋼板と樹脂成型品とを組み合わせて構成された筐体１を有し、この筐体１がベース１ｈの上に取り付けられて構成されている。筐体１は、左右の側板１ａ，１ｂ、前面カバー１ｃ、背面カバー１ｄ（図１（ｂ）参照）、上面カバー１ｅ、下部前面カバー１ｆで構成されている。左右の側板１ａ，１ｂは、コの字型の上補強部材Ｒ２（図２および図４参照）、前補強部材Ｒ１（図４参照）、後補強部材（図示せず）で結合されており、ベース１ｈ（図１（ａ）参照）を含めて箱状の筐体１を形成し、十分な強度を有している。
【００１５】
前面カバー１ｃの略中央には、洗濯物または乾燥対象物となる衣類等を出し入れするための投入口１ｇを塞ぐ蓋体（ドア）２が、前補強部材Ｒ１に設けたヒンジ２ｃ（図２参照、以下同じ）で開閉可能に支持されて構成されている。蓋体２の詳細は後記する。
【００１６】
筐体１の前面上部には、電源スイッチ１２ａ、操作スイッチ１２ｂ、１２ｃ、表示器１２ｄ等を備えた操作パネル１２が設けられている。操作パネル１２は、筐体１の下部に設けられた制御装置１３（図２，３参照）に電気的に接続されている。
【００１７】
操作パネル１２の左側には、洗剤、漂白剤、柔軟剤等を投入するための引き出し式のトレイ１４が設けられており、操作パネル１２の右側には、引き出し式の乾燥フィルタ１５が設けられている。
【００１８】
この乾燥フィルタ１５は、メッシュ式のフィルタ１５ａ（図４参照）を備えており、糸くずや綿埃等を除去するようになっている。乾燥フィルタ１５の掃除は、乾燥フィルタ１５を引き出し、メッシュ式のフィルタ１５ａを取り出して行う。
【００１９】
また、上面カバー１ｅには、水道栓からの給水ホースが接続される図示しない接続口、風呂の残り湯を給水するための図示しないホース接続口が設けられている。
【００２０】
図２に示すように、ドラム式洗濯乾燥機は、筐体１内に、回転軸を中心に回転可能なドラム（回転ドラムや内槽等とも呼ばれている。）３を有している。ドラム３内には、衣類等が収容される。
【００２１】
ドラム３は、ステンレス鋼等の金属で形成されており、略有底円筒状を呈している。ドラム３は、図２において破線で示すように、開口端３９側が蓋体２に臨むよう、当該開口端３９側をドラム式洗濯乾燥機の前方に向けて配置されている。
【００２２】
ドラム３の周壁３１には、通水および通風のための複数の図示しない貫通孔が形成されている。
また、ドラム３の開口端３９の縁部には、図３に示すように、略円環状の流体バランサ（バランサリングとも呼ばれている。）３５がドラム３と一体に設けられている。流体バランサ３５は、その内部に比重の大きな流体を封入して構成され、ドラム３の回転時に洗濯物の偏り等によって偏心が生じたときに、流体バランサ３５内での流体の移動によって偏心をキャンセルし、回転のバランスを維持する。なお、ドラム３の内部へのアクセスは、円環状の流体バランサ３５の半径方向内側で大きく開口している開口部３６（図２参照）を通じて行うことができ、ここから衣類等を出し入れすることができる。
【００２３】
ドラム３の周壁３１の内側には、図３に示すように、奥行き方向（軸方向）に、直線状に突設されたリフタ３７が複数個設けられている。リフタ３７を設けることにより、洗濯時や乾燥時のドラム３の回転で得られる遠心力とともに衣類等を持ち上げ、重力でこれを落下させるという動作を効率的に、かつ繰り返して行うことができるようになる。なお、ドラム３の回転中心３８は、開口部３６（図２参照）側が高くなるように傾斜しているが、水平であってもよい。
【００２４】
また、ドラム式洗濯乾燥機は、ドラム３を内部に配置する外槽４をドラム３と同軸上に備える。この外槽４は合成樹脂で形成されており、略有底円筒状に形成されている。外槽４は、開口端が蓋体２に臨むように、ドラム式洗濯乾燥機の前方に向けて配置されている。
【００２５】
外槽４の開口端の縁部には、略円環状の槽カバー５が取り付けられている。槽カバー５の開口端は、蓋体２に臨んでいる。
なお、槽カバー５は、外槽４と同じかまたは異なる合成樹脂で形成されている。外槽４や槽カバー５を形成する合成樹脂としては、ポリプロピレン樹脂、ポリブチレンテレフタレート樹脂、ポリフェニレンサルファイド樹脂、シンジオタクチック・ポリスチレン樹脂を用いることができ、好ましくはこれらに補強材を添加した合成樹脂を用いることができる。なお、コスト等の観点から、これらの中でもポリプロピレン樹脂を用いるのが望ましい。補強材としては、フィラー成分、つまり、ガラスフィラーやタルク等の無機フィラー等を用いることができる。補強材を添加することによって高強度化することができるため、強度が必要とされる外槽４に好適である。
【００２６】
図２に示すように、槽カバー５の開口部と前補強部材Ｒ１に設けられた開口部とは、ゴム製のベローズ２ｅで接続され、ベローズ２ｅは、蓋体２を閉じることで外槽４と蓋体２との水密性を維持する役割を果たしている。これにより、洗い、すすぎおよび脱水時の水漏れの防止が図られている。
【００２７】
図２に示すように、外槽４の底壁の背面側中央には、ドラム３を駆動するためのモータＭ１が取り付けられている。モータＭ１の回転軸（図示せず）は、外槽４を貫通し、ドラム３と結合している。
【００２８】
図２および図３に示すように、外槽４は、下側をベース１ｈに固定された複数のサスペンション４０により防振支持されている。なお、このサスペンション４０はコイルばね４０ａとダンパ４０ｂで構成されている。
【００２９】
一方、外槽４の上側は、上補強部材Ｒ２に取り付けた補助ばね４５（図４および図５参照）で支持されており、この補助ばね４５は、外槽４の前後方向への倒れを防いでいる。
【００３０】
図２に示すように、外槽４の後側の上部左側には、外槽４内へ水、洗剤、漂白剤等を含む液体を供給するための給水口（供給口）４６が設けられている。給水口４６は、ここから下方に向かって緩やかにカーブする図示しない溝と連通している。この溝には、溝の下端部を除いて溝を塞ぐようにカバー部材がねじ締結または溶着されている。そのため、溝の下端部のみが外槽４内と連通している。
【００３１】
ここで、図５に示すように、洗剤容器１７は、上部開口１７ａおよび前部開口１７ｂを有しており、前部開口１７ｂに、引き出し式のトレイ１４（図１参照）が装着される。洗剤類を入れる場合は、トレイ１４を引き出す。洗剤容器１７は、筐体１の上補強部材Ｒ２に固定されている。洗剤容器１７は、外槽４との干渉を防ぐために底面が斜めにカットされており、正面から見ると右側が浅く、左側が深くなっている。また、洗剤容器１７の左側面、やや後方に出水口１７ｃが設けられている。したがって、洗剤容器１７の底面は、出水口１７ｃの位置が最も低くなるような、すり鉢状に形成されている。洗剤容器１７の出水口１７ｃと給水口４６とは、ゴム製の蛇腹管１７ｄで接続されている。
【００３２】
そのため、洗剤容器１７から供給される液体は、出水口１７ｃから蛇腹管１７ｄを通って給水口４６に入る。給水口４６に入った液体は、前記した溝を通って外槽４内に供給される。かかる構成により、乾燥運転後に、排水トラップの水封じを回復させるため、外槽４を介して排水用配管に補給水を供給する場合等において、乾いた衣類等を濡らしてしまうのを防止することができる。
【００３３】
図２および図３に示すように、外槽４の底面最下部には、排水口４７が設けられ、排水継手を介して排水ホースＤ１が接続されている。なお、排水ホースＤ１の先端部は、図３に示すように床面Ｇに設けられた排水孔Ｇ１に接続されている。また、排水ホースＤ１の途中には、排水弁Ｄ２が設けられ、この排水弁Ｄ２を閉じて給水することで外槽４内に水が溜められ、排水弁Ｄ２を開くことで外槽４内の水が機外へ排出される。
図３に示すように、筐体１の背面内側には、送風ダクト６１が設けられ、この送風ダクト６１の下部には、排水弁Ｄ２の下流において排水ホースＤ１と合流するように接続されるオーバーフロー用ホースＤ３が接続されている。このオーバーフロー用ホースＤ３の上流端は、蛇腹管４９ｃよりも上側に位置するように接続されている。
【００３４】
また、外槽４の後部端面の最下部には、図２に示すように、エアトラップ４８が設けられており、チューブＴによって水位センサ５６（図２参照）と接続されることで、外槽４内の水位の検出が行われる。なお、エアトラップ４８は、エアトラップ継手シールとエアトラップ継手とによって外槽４を貫通して接続されている。
【００３５】
洗剤容器１７（図２参照）の後側には、図４に示すように、給水電磁弁５２、風呂水給水ポンプ５３、水位センサ５６等の給水に関連する部品が設けられている。洗剤容器１７の上部開口１７ａ（図５参照）には、給水電磁弁５２を取り付けた給水ユニット５４を備える。
【００３６】
図３に示すように、乾燥フィルタ１５には、乾燥ダクト１５ｂを介して送風ダクト６１が接続されている。送風ダクト６１は、外槽４の後部端面下方に設けた排気口４９に、ゴム製の蛇腹管４９ｃを介して接続されている。送風ダクト６１内には、図示しない水冷除湿機構が内蔵されており、水冷除湿機構には、図４に示すように、給水電磁弁５２から給水ホース５５を介して冷却水が供給される。
【００３７】
図４に示すように、乾燥フィルタ１５の後側には、送風ファン６２が設けられている。そして、図３に示すように、送風ファン６２の吸気側は乾燥フィルタ１５に接続され、また、吐出側はヒータ６３が内蔵された温風ダクト６４に接続されている。また、この温風ダクト６４は、ゴム製の蛇腹管６５と、これと接続される温風吹出ノズル６８を介して、外槽４の開口部に接続されている。
【００３８】
制御装置１３（図２参照）は、マイクロコンピュータ、駆動回路を備えるとともに、操作スイッチ１２ｂ、１２ｃ（図１（ａ）参照）や各種センサからの入力回路等も備える。マイクロコンピュータは、使用者の操作や、洗濯工程、乾燥工程での各種情報信号を受ける。マイクロコンピュータは、駆動回路を介して、モータＭ１、給水電磁弁５２、排水弁Ｄ２、送風ファン６２等（図２〜図４参照）に接続され、これらの開閉、回転、通電を制御する。また、使用者に洗濯機に関する情報を知らせるために、表示器１２ｄ（図１（ａ）参照）やブザー等を制御する。
【００３９】
次に、蓋体２について詳細に説明する。
蓋体２は、図６（ａ）（ｂ）に示すように、正面視、後面視で円形状を呈しており、外周部には取手２０が設けられている。
蓋体２は、図１（ａ）に示すように、前面カバー１ｃに設けられた円形状の投入口１ｇを閉塞するドアの役割をなし、左側周部に設けられたヒンジ２ｃ（図１５（ａ）参照）を介して筐体１に開閉可能に設けられている。投入口１ｇの開口縁部（筐体１の前面カバー１ｃ）には、投入口１ｇを仕切るリング状（蓋体２と同心円状）の化粧板１ｊが取り付けられている。化粧板１ｊは、滑り性のよい表面加工が施された、例えば、ステンレス鋼等の金属の材料を用いることができる。
【００４０】
図６（ｂ）に示すように、蓋体２の右側周部（ヒンジ２ｃが取り付けられるヒンジ取付部２ｂと反対側となる周部）には、蓋体２を閉位置でロックする係止フック２１を含むロック機構が設けられている。また、係止フック２１の上側には、取手２０が配置されており、取手２０は、係止フック２１のロックを解除するように作用する。
【００４１】
具体的に、蓋体２は、リング状の枠体２００（図７（ａ）参照、以下同じ）と、枠体２００の前面に固定された窓部材２１０（図６（ａ）参照、以下同じ）と、枠体２００の後面に固定された薄板リング状の固定カバー２２０（図６（ｂ）参照、以下同じ）と、枠体２００と固定カバー２２０との間に脱落不能に保持されたドアガラス２３０と、を備えて構成されている。
【００４２】
枠体２００は、合成樹脂で一体的に形成されており、前面側に向けて略湾曲状に膨出し、後面側が開口形成された断面略Ｃ字形状（図９（ａ）参照）を呈している。枠体２００の内側には、図７（ａ）（ｂ）に示すように、周方向に延設されたリブ２０１や、このリブ２０１に交差するように径方向に延設されたリブ２０２が形成されている。リブ２０２には、周方向に一つ置きにボス２０３が一体的に形成されている。ボス２０３には、固定カバー２２０を固定するための固定ねじ２２１（図６（ｂ）参照）が螺合される。
【００４３】
図７（ａ）に示すように、枠体２００の左側後面には、ヒンジ２ｃを固定するための金属製の座板２０４が設置されている。この座板２０４は、固定カバー２２０を取り付ける際に、固定ねじ２２１（図６（ｂ）参照）によって固定されるようになっている。
【００４４】
また、枠体２００の上側および下側の内面には、当接部材２００ｃ，２００ｃが設けられている。これらの当接部材２００ｃ，２００ｃは、蓋体２を閉位置とした際に、前面カバー１ｃの投入口１ｇ（図１（ａ）参照）の対向面に当接して、蓋体２の閉状態を位置決めする部材として機能する。なお、当接部材２００ｃ，２００ｃの先端部には、図示しない弾性部材が取り付けられている。
【００４５】
枠体２００の右側後面には、取手２０が配置され、この取手２０の操作に連動して作動する係止フック２１を含むロック機構が設けられている。
取手２０は、硬質の合成樹脂により一体的に形成されており、図８（ｄ）（ｅ）に示すように、基部２２と、この基部２２の一端から延びて蓋体２（図６（ａ）（ｂ）参照）の外周縁部から延出する指掛け部２３とを備えている。
なお、取手２０は、図１（ｂ）に示すように、筐体１の前面の最大突出部１ｋよりも後方側に配置されている。
【００４６】
指掛け部２３は、第１延設部２３ａと、第１延設部２３ａに連続して延びる第２延設部２３ｂと、第２延設部２３ｂの端部で折返されて延びる第３延設部２３ｃと、を備えている。
【００４７】
基部２２には、図８（ａ）〜（ｃ）に示すように、長手方向の両端部に回動軸２２ａ，２２ｂが突設されており、さらに回動軸２２ｂの側方には、回動軸２２ｂに並んで延部２２ｃが設けられている。延部２２ｃの先端部には、係止フック２１の端部２１ａ（図９（ａ）参照）に当接する平らな当接面２２ｃ１と、当接面２２ｃ１に連続して形成された傾斜部２２ｄと、が設けられている。
【００４８】
傾斜部２２ｄは、図８（ｅ）における下面視で、回動軸２２ｂから離れる側となる左側方に向けて延出し、後方へ向けて上り傾斜状に形成されている。このような傾斜部２２ｄは、後記するように、取手２０の開操作時に係止フック２１の端部２１ａに当接して係止フック２１に、解除方向への回動力を付与する。取手２０の開操作時の作用については後記する。
【００４９】
第１延設部２３ａは、基部２２から離れる側となる右側方に向けて傾斜しており、また、これに連続する第２延設部２３ｂは、基部２２に近付く側となる左側方に向けて傾斜しており、これらの第１延設部２３ａおよび第２延設部２３ｂは、図８（ｄ）（ｅ）に示すように、上面視および下面視で略く字形状を呈している。
【００５０】
第３延設部２３ｃは、第２延設部２３ｂの端部で鋭角に折返されて基部２２から離れる側となる右側方に向けて延設されている。つまり、このような第１〜第３延設部２３ａ〜２３ｃからなる指掛け部２３は、蓋体２の外周縁部から延出する途中部分が蓋体２の中央寄りに屈曲されてなる屈曲部２５を備えたものとなっている。
第３延設部２３ｃの内側には、図８（ａ）に示すように、周囲を縁部２４ｄで縁取りされて、その内側に、開操作時に指を掛けることが可能な指掛け面２４ａが形成されている。
指掛け面２４ａは、図１２（ａ）に示すように、蓋体２の前面（窓部材２１０の前面）に略沿うように形成されている。
本実施形態において、指掛け面２４ａは、先端に向かうにしたがって、化粧板１ｊとの間隔が拡がるように形成したものを例示したが、これに限られることはなく、蓋体２の前面（窓部材２１０の前面）に略平行となるように指掛け面２４ａを形成してもよい。
【００５１】
図８（ｄ）（ｅ）に示すように、第２延設部２３ｂと第３延設部２３ｃとの間（屈曲部２５の内側）には、指掛け部２３に掛けた指先を挿入可能な挿入スペース２７が形成されている。なお、第２延設部２３ｂと第３延設部２３ｃとの内側角部２４ｂには、指先を挿入することが可能となっている。内側角部２４ｂに指先を置いた状態で、指先の内側部分を指掛け面２４ａに置くことができる。
【００５２】
このような取手２０は、蓋体２が閉位置にあるときに、図１２（ａ）に示すように、枠体２００の外周面（窓部材２１０の側縁部２１１）と前面カバー１ｃ（投入口１ｇ）の側部開口縁１ｃ２との間に形成される隙間Ｓ２内に、第１延設部２３ａと第２延設部２３ｂの一部が非接触状態で配置されるように構成されている。
そして、蓋体２の前面（正面）から見て、屈曲部２５（具体的には第２延設部２３ｂと第３延設部２３ｃとの折れ曲り部分）の一部と蓋体２の前面（窓部材２１０の縁部）とがオーバーラップするように構成されている（図６（ａ）参照））。
【００５３】
取手２０は、図９（ａ）に示すように、長手方向の両端部の回動軸２２ａ，２２ｂを枠体２００の内面に設けられた支持部２０５ａ，２０５ｂにそれぞれ支持することによって、枠体２００に回動可能に取り付けられる。取り付けに際しては、回動軸２２ｂを支持部２０５ｂに支持しておいてから、回動軸２２ａをＣ字形状の支持部２０５ａに嵌め込む（枠体２００の径方向から嵌め込む）ことで、取手２０が組み付けられる。
なお、枠体２００には、取手２０の回動を初期位置（蓋体２の閉位置）に付勢するためのばね部材２０８が配置されている。このばね部材２０８により、取手２０は、図１２（ａ）に示すように、枠体２００に設けられた規制リブ２００ａに基部２２が当接する状態で位置決めされ、この状態で、取手２０の第１延設部２３ａが、枠体２００の周部に設けられた切欠部２００ｅ（図９（ａ）参照）を通じて枠体２００の外周縁部に延出する。これにより、屈曲部２５の一部が蓋体２の前面（窓部材２１０の縁部）にオーバーラップする状態となる。
【００５４】
ロック機構は、図９（ａ）に示すように、係止フック２１と、付勢ばね２８と、シャフト２９とを備えている。
係止フック２１は、合成樹脂により一体的に形成されており、側面視略Ｌ字状を呈している。係止フック２１は、板状の支持部２１ｃと、支持部２１ｃから立設されたフック部２１ｄとを有している。支持部２１ｃの端部２１ａは、先細り形状とされており、取手２０の当接面２２ｃ１に後方から当接する（重なる状態で配置される）ようになっている。
【００５５】
また、支持部２１ｃの反対側の端部２１ｂには、溝２１ｂ１が形成されている。この溝２１ｂ１には、付勢ばね２８の端部２８ａが付勢力をもって係止されるようになっている。
支持部２１ｃとフック部２１ｄとの連結部には、シャフト挿通部２１ｅが形成されており、係止フック２１は、このシャフト挿通部２１ｅに挿通されるシャフト２９を中心として回動可能に枠体２００に組み付けられる。
フック部２１ｄに形成されるフックは、その係止部２１ｍが枠体２００の径方向内側に向くように設けられている。フック部２１ｄの反フック側には、枠体２００の径方向外側へ向けて突出する突出部２１ｐが形成されている。
【００５６】
付勢ばね２８は、ねじりコイルばねであり、一方の端部２８ａが係止フック２１の溝２１ｂ１に係止され、他方の端部２８ｂが枠体２００の係止部２０２ａに係止される。これにより、係止フック２１は、シャフト２９を中心としてフック部２１ｄのフックが後記するように係止される方向（シャフト２９の左回り方向）に付勢されるようになっている。
【００５７】
シャフト２９は、枠体２００に立設さられた支持部２０７ａ，２０７ｂ，２０７ｃを通じて係止フック２１のシャフト挿通部２１ｅおよび付勢ばね２８に挿通されるようになっており、これらを支持して枠体２００に保持する役割をなす。
なお、支持部２０７ａの側方には、シャフト２９の脱落を防止する抜け止め片２０６が立設されている。この抜け止め片２０６は、薄板状を呈しており、枠体２００の径方向に傾倒可能な弾力性を有したものとなっている。
【００５８】
係止フック２１および付勢ばね２８に対するシャフト２９の組み付けは、概略次のようにして行うことができる。
はじめに、係止フック２１を支持部２０７ａ，２０７ｂの間に配置するとともに、付勢ばね２８を支持部２０７ｂ，２０７ｃの間に配置する。そして、シャフト２９の端部２９ｂを支持部２０７ａから係止フック２１のシャフト挿通部２１ｅに挿通する。
この場合、図９（ｂ）に示すように、抜け止め片２０６を図示しない指や工具等を用いて、枠体２００の径方向に倒しておく。これにより支持部２０７ａの支持孔にシャフト２９の端部２９ｂを挿入することができ、挿入した端部２９ｂを順次、係止フック２１のシャフト挿通部２１ｅ、支持部２０７ｂ、付勢ばね２８に挿通することができ、支持部２０７ｃに止め置くことができる。
【００５９】
これらにシャフト２９を挿通した状態で、シャフト２９の他方の端部２９ａ（図９（ａ）参照）は、抜け止め片２０６に干渉しない位置に配置されるようになっている。これにより、傾倒させた抜け止め片２０６から指や工具を離すと、抜け止め片２０６が直立した状態に復帰し、抜け止め片２０６がシャフト２９の他方の端部２９ａに当接して（僅かな隙間をもって対向して）シャフト２９の軸方向への移動を規制する（図７（ｂ）参照）。これにより、組み付け後にシャフト２９が抜け落ちるのを好適に阻止することができる。
なお、シャフト２９の組み付けは、取手２０を枠体２００に取り付ける前に、切欠部２００ｅ（図９（ａ）参照）の開口を通じて容易に行うことができる。
また、付勢ばね２８の係止は、シャフト２９の挿通後に行ってもよいし、シャフト２９の挿通前に行ってもよい。
【００６０】
図７（ｂ）、図９（ｂ）に示すように、ロック機構の側方には、閉止防止部材２００ｂが配置されている。閉止防止部材２００ｂは、蓋体２の閉止を規制する部材であり、コイン等の係合部材を用いて回動操作することにより、蓋体２の後方へ突出させることができる。突出した状態で、閉止防止部材２００ｂは、投入口１ｇ縁に当接可能であり、この当接によって蓋体２の閉止が防止されるようになっている。
【００６１】
固定カバー２２０は、図１０（ａ）（ｂ）に示すように、枠体２００の後面に固定される薄板リング状を呈しており、取手２０（図６（ｂ）参照）に対応する部分に凹状部２２４が形成されている。
図１０（ｂ）に示すように、固定カバー２２０には、周方向に所定の間隔を置いて、枠体２００のボス２０３（図７（ａ）参照）に対応する位置にねじ孔２２２が形成されている。また、固定カバー２２０には、当接部材２００ｃ，２００ｃ（図７（ａ）参照）が挿通される当接部材孔２２３，２２３や、係止フック２１（図７（ａ）参照）が挿通される係止フック孔２２７、閉止防止部材２００ｂ（図７（ａ）参照）が挿通される閉止防止部材孔２２８がそれぞれ形成されている。
【００６２】
固定カバー２２０の内周縁部２２５は、図１０（ｃ）に示すように、カール状（断面略Ｃ字形状）に湾曲されている。この内周縁部２２５は、図１１（ｂ）に示すように、ドアガラス２３０のフランジ部２３２の湾曲部２３３に当接してフランジ部２３２を押える役割をなす。ここで、内周縁部２２５の先端部２２５ａは、内側に湾曲しているので、フランジ部２３２の湾曲部２３３のアールに対応したものとなっており、湾曲部２３３に対して面で当接することとなる。
【００６３】
これにより、固定カバー２２０の内周縁部２２５でドアガラス２３０のフランジ部２３２を強固に押えることができ、また、面で当接することによりフランジ部２３２が押えられることとなるので、フランジ部２３２が内周縁部２２５の当接によって傷付くこともない。したがって、ドアガラス２３０の破損を未然に防止することができる。
【００６４】
ドアガラス２３０は、図１１（ａ）に示すように、断面略ハット状を呈しており、周部に形成されたフランジ部２３２が固定カバー２２０で枠体２００の取付部２００ｇ（図１１（ｂ）参照）に押えられることで、枠体２００と固定カバー２２０との間に脱落不能に保持されている。
ドアガラス２３０の上部には、傾斜面２３１が形成されている。この傾斜面２３１は、外槽４の開口部を通じて吹き出された温風を、ドラム３内に好適に導く役割をなす。
図７（ａ）に示すように、ドアガラス２３０のフランジ部２３２には、径方向に突出する張出部２３５，２３５が形成されており、これらの張出部２３５，２３５は、枠体２００に設けられた図示しない位置決め部材に係止されるようになっている。これにより、ドアガラス２３０が枠体２００の周方向に回動することが好適に防止されている。
【００６５】
次に、取手２０の開操作時の作用について説明する。
図１２（ａ）に示すように、蓋体２の閉状態において、取手２０の基部２２と投入口１ｇの後部開口縁１ｃ３との間に隙間Ｓ１が形成されており、基部２２が後部開口縁１ｃ３に非接触状態となっている。
また、指掛け部２３の第１延設部２３ａと第２延設部２３ｂの一部とが、枠体２００の外周面（窓部材２１０の側縁部２１１）と投入口１ｇの側部開口縁１ｃ２との間に形成される隙間Ｓ２内に、非接触状態で配置されている。
【００６６】
このように蓋体２の閉状態においては、図１３（ａ）に示すように、係止フック２１の支持部２１ｃの端部２１ａが、取手２０の端部の平らな当接面２１ｃ１に当接しており、図１３（ｂ）に示すように、係止フック２１の係止部２１ｍが、後部開口縁１ｃ３（図１２（ａ）参照）に設けられた係止受部１ｍに係止し（図１５（ａ）（ｂ）参照）、蓋体２の閉状態が保持されるようになっている。
【００６７】
一方、図１２（ｂ）に示すように、取手２０を開操作すると、取手２０が回動軸２２ａ，２２ｂを中心として回動（図中矢印方向に回動）し、第２延設部２３ｂの略全体が蓋体２の前面（窓部材２１０の縁部）に移動して、これとオーバーラップする状態となる。
このとき、指掛け部２３の角部２３ｄは、投入口１ｇの側部開口縁１ｃ２に接触することなく、隙間Ｓ２内を非接触状態で通過することとなり、また、第２延設部２３ｂは、窓部材２１０の側縁部２１１に接触することなく回動する。したがって、開操作時において、角部２３ｄが側部開口縁１ｃ２に接触したり、窓部材２１０の側縁部２１１に接触したりするときのような抵抗感を生じることがない。したがって、スムーズな取手２０の開操作が実現される。
【００６８】
このように取手２０が開操作されると、図１４（ａ）に示すように、取手２０の延部２２ｃが図中後方へ回動し、係止フック２１の支持部２１ｃの端部２１ａが、後方へ押される。これにより、係止フック２１の係止が解除される方向に係止フック２１が回動する。
ここで、取手２０の延部２２ｃが図中後方へ回動する際、図１４（ｂ）に示すように、係止フック２１の端部２１ａの当接位置は、平らな当接面２１ｃ１上から傾斜部２２ｄ上に移る状態となり、傾斜部２２ｄ上を上り方向に移動することとなる。つまり、取手２０の開操作量（回動量）に伴って、係止フック２１の端部２１ａが後方へ押される量（解除方向に回動する量）が次第に大きくなるように設定されている。
これによって、図１４（ｂ）に示すように、係止フック２１の係止部２１ｍが、後部開口縁１ｃ３（図１２（ａ）参照）に設けられた係止受部１ｍから確実に外れることとなり（係止解除位置に回動することとなり（図１５（ｂ）参照））、蓋体２の閉状態が解除されることとなる。
これによって、取手２０や係止フック２１等の成形品の寸法に誤差が生じていたり、組付時のバラツキ等が生じていたりしても、係止フック２１を係止解除位置に確実に回動させることが可能となる。
【００６９】
なお、図１５（ｂ）に二点鎖線で示すように、係止フック２１が係止解除位置に回動した状態で、係止フック２１の側部に形成された突出部２１ｐが、係止受部１ｍの内面１ｐまたは、固定カバー２２０の係止フック孔２２７の口縁に当接するようになっており（図１５（ｂ）では両方に当接したものを図示）、これによって、係止フック２１の係止解除位置を超えた回動が規制されるようになっている。したがって、係止フック２１の好適な回動を実現することができる。
【００７０】
以上説明した本実施形態のドラム式洗濯乾燥機によれば、指掛け部２３は、蓋体２の外周縁部から延出する途中部分が蓋体２の中央寄りに屈曲されてなる屈曲部２５を備えており、蓋体２の前面から見て、屈曲部２５の一部と蓋体２の前面とがオーバーラップしているので、従来のように蓋体２の外周縁部から側方に向けて指掛け部が延出する構造を採用したときのように、指掛け部２３の後側に手を挿入するための凹状スペースを前面カバー１ｃに設ける必要がなくなり、デザイン性に優れる。
【００７１】
また、凹状スペースを前面カバー１ｃに設ける必要がないので、前面カバー１ｃ等を成形するための型枠を変更することなく、ドラム式洗濯乾燥機を製造することができる。これにより、製造コストを抑えることができ、生産性の向上に寄与するドラム式洗濯乾燥機が得られる。
【００７２】
また、本実施形態のドラム式洗濯乾燥機は、このような凹状スペースを前面カバー１ｃに設けない構成でありながら、従来のように蓋体２の外周縁部から側方に向けて指掛け部が延出する構造に比べて、蓋体２の側方への出張り（突出量）を小さくすることができるとともに、蓋体２の前方への出張り（突出量）を小さくすることができ、デザイン性に優れる。また、洗濯物の出し入れの際に洗濯物が取手２０に引っ掛かる等の不具合も生じ難い。
【００７３】
また、指掛け部２３に屈曲部２５が形成されているので、この屈曲部２５を利用して指掛け用の凹所を容易に形成（確保）することができ、蓋体２の開操作性に優れる。
【００７４】
また、屈曲部２５の内側には、指掛け部２３に掛けた指先を挿入可能な挿入スペース２７が形成されているので、開操作の際には、屈曲部２５の内側に指先を容易に挿入することができ、指掛け部２３（第３延設部２３ｃ）を掴み易い。したがって、蓋体２の開操作性に優れたドラム式洗濯乾燥機が得られる。
【００７５】
さらに、指掛け部２３は、蓋体２の前面に沿う指掛け面２４ａを有しているので、開操作の際には、この指掛け面２４ａに指を密着させるようにして取手２０を回動させることができる。したがって、蓋体２の開操作性に優れたドラム式洗濯乾燥機が得られる。
この場合、屈曲部２５の内側に指先を挿入しつつ指掛け面２４ａに指を密着することができるので、これらの相乗効果により、開操作する指に力が入り易くなる。したがって、蓋体２の開操作性に優れるドラム式洗濯乾燥機が得られる。
【００７６】
また、取手２０は、第１延設部２３ａ、第２延設部２３ｂからなる比較的長い延設部を介して設けられた第３延設部２３ｃを有しており、開操作時において、取手２０の指掛け部２３（第２延設部２３ｂ，第３延設部２３ｃ）が、窓部材２１０の前面側に間隔を空けて回り込むように回動するようになっているので、係止フック２１を解除するために必要となる回動を容易に確保することができるとともに、窓部材２１０に取手２０が接触するのを好適に回避することができる。
これにより、窓部材２１０において、取手２０を回動させるための凹所等を設ける必要がなく、窓部材２１０を成形するための型枠を変更する必要もない。したがって、ドラム式洗濯乾燥機の製造コストを抑えることができる。
【００７７】
以上、本発明について、実施形態に基づいて詳細に説明したが、本発明の内容は以上の説明に限定されるものではなく、種々の改変や変更も本発明の趣旨を逸脱しない範囲で本発明に含まれる。
例えば、取手２０の形状は、屈曲部２５を有するものであれば、種々の形状のものを採用し得る。
【符号の説明】
【００７８】
１ｇ    投入口
２      蓋体
３      ドラム
２０    取手
２１    係止フック
２３    指掛け部
２３ａ  第１延設部（指掛け部）
２３ｂ  第２延設部（指掛け部）
２３ｃ  第３延設部（指掛け部）
２３ｄ  角部
２４ａ  指掛け面
２５    屈曲部
２７    挿入スペース
【図１】
0005756383.tif 000002
【図２】
0005756383.tif 000003
【図３】
0005756383.tif 000004
【図４】
0005756383.tif 000005
【図５】
0005756383.tif 000006
【図６】
0005756383.tif 000007
【図７】
0005756383.tif 000008
【図８】
0005756383.tif 000009
【図９】
0005756383.tif 000010
【図１０】
0005756383.tif 000011
【図１１】
0005756383.tif 000012
【図１２】
0005756383.tif 000013
【図１３】
0005756383.tif 000014
【図１４】
0005756383.tif 000015
【図１５】
0005756383.tif 000016